(57)【特許請求の範囲】
【請求項１】
瓶や缶等の商品を載置する棚の左右に対向して設けられる略板状の支持部材と、該支持部材との間に架け渡された該商品の転落防止バーとを有する商品棚の商品の転落防止装置において、
該支持部材が、該転落防止バーを遊嵌可能な溝幅を有して上下に伸びるガイド溝を有し、
２本の該転落防止バーが、左右の該支持部材のガイド溝に遊嵌され、該ガイド溝に沿って移動自在に架け渡され、
該支持部材に、上方に位置する該転落防止バーを該ガイド溝の上部に保持する保持手段を有し、
該２本の転落防止バーの間に、該２本の転落防止バーを引き離す方向に付勢する弾性部材を備え、該弾性部材が該保持手段になっており、
該上下に伸びるガイド溝の途中の該棚の前方方向に、該転落防止バーを係止する切り込みが穿設されていることを特徴とする商品棚の商品の転落防止装置。
【請求項２】
前記支持部材が、前記棚の後方に向かっても前記ガイド溝及び前記弾性部材が設けられ、前記転落防止バーが該棚の後方に設けられた前記支持部材のガイド溝にも架け渡されていることを特徴とする請求項１記載の商品棚の商品の転落防止装置。
【請求項３】
前記支持部材が、前記左右の支持部材の間にも設けられていることを特徴とする請求項１又は請求項２記載の商品棚の商品の転落防止装置。
【請求項４】
前記支持部材に、薄板状で前記棚の後方まで伸びる長さの側板を挿嵌し固定するスリットを備えることを特徴とする請求項１又は請求項１を引用する請求項３のいずれかに記載の商品棚の商品の転落防止装置。
【発明の詳細な説明】
【技術分野】
【０００１】
本発明は、瓶や缶等の商品を載置する棚に設けられる商品棚の商品の転落防止装置に関する。
【背景技術】
【０００２】
従来より、棚に並べられた瓶や缶等の商品が、振動や接触等で転落しないようにするために各種の転落装置が提案されている。例えば、特許文献１に示されるものは、棚等の上に瓶の載置スペースを介して互いに対向して取り付けられる左右一対の支持部材と、各支持部材に刻まれた溝及びＬ字型溝にはめ込まれて両支持部材間に架け渡される転落防止バーとを備えている。そして、各支持部材に刻まれた溝及びＬ字型溝の上下方向部分が、下方に向かうにしたがい瓶などが落下する方向に傾斜している。棚の上に瓶を置いたり、棚上の瓶を取り出したりする場合は、転落防止バーに手をかけて上部溝の開放方向に持ち上げ、そのまま転落防止バーのみを取り外し手前に置き、転落防止バーから手を離し、両手で瓶の出し入れを行う。
【先行技術文献】
【特許文献】
【０００３】
【特許文献１】特開２００１−３１４２５５号公報
【発明の概要】
【発明が解決しようとする課題】
【０００４】
しかしながら、従来の落下や転倒の防止装置は、棚上の瓶を取り出したりするときに、転落防止バーを棚よりも前方にはみ出させるため、棚の前方を大きく開放しておく必要があり、空間の有効活用をしにくい。
【０００５】
本発明は、このような事情に鑑みてなされたもので、商品の出し入れのときに転落防止バーを上下に移動させればよく、棚以外の場所にはみ出さず、棚周辺の空間を有効活用できる商品棚の商品の転落防止装置を提供することにある。
【課題を解決するための手段】
【０００６】
請求項１記載の商品棚の商品の転落防止装置は、支持部材が、転落防止バーを遊嵌可能な溝幅を有して上下に伸びるガイド溝を有し、２本の転落防止バーが、左右の支持部材のガイド溝に遊嵌され、ガイド溝に沿って移動自在に架け渡され、支持部材に、上方に位置する転落防止バーをガイド溝の上部に保持する保持手段を有し、２本の転落防止バーの間に、２本の転落防止バーを引き離す方向に付勢する弾性部材を備え、弾性部材が保持手段になっており、上下に伸びるガイド溝の途中の棚の前方方向に、転落防止バーを係止する切り込みが穿設されていることを特徴とする。
【０００７】
請求項２記載の商品棚の商品の転落防止装置は、支持部材が、棚の後方に向かってもガイド溝及び弾性部材が設けられ、転落防止バーが棚の後方に設けられた支持部材のガイド溝にも架け渡されていることを特徴とする。
【０００８】
請求項３記載の商品棚の商品の転落防止装置は、支持部材が、左右の支持部材の間にも設けられていることを特徴とする。
【０００９】
請求項４記載の商品棚の商品の転落防止装置は、支持部材に、薄板状で棚の後方まで伸びる長さの側板を挿嵌し固定するスリットを備えることを特徴とする。
【発明の効果】
【００１５】
請求項１の発明によれば、転落防止バーが、左右の支持部材のガイド溝に遊嵌され、ガイド溝に沿って移動自在に架け渡され、商品の出し入れのときに転落防止バーを上下に移動させればよく、棚以外の場所にはみ出さず、棚周辺の空間を有効活用できる。また、支持部材の２本の転落防止バーの間に、２本の転落防止バーを引き離す方向に付勢する弾性部材を備え、弾性部材が保持手段になっていることから、転落防止バーに横から商品が当たっても転落防止バーは簡単に移動しないものの、上又は下から手で押すと転落防止バーが移動し、操作が容易である。さらに、上下に伸びるガイド溝の途中の棚の前方方向に、転落防止バーを係止する切り込みが穿設されていることから、商品が転落防止バーに倒れかかる方向で触れた場合でも、転落防止バーが棚の前方方向に付勢された状態で下がるために、転落防止バーが切り込みに係止され、不必要に転落防止バーが下がってしまわず、商品の転落を防止することができる。
【００１６】
請求項２の発明によれば、支持部材が、棚の後方に向かってもガイド溝及び弾性部材が設けられ、転落防止バーが棚の後方に設けられた支持部材のガイド溝にも架け渡されていることから、請求項１と同様に、商品が棚の側方からの転落を防止することができる。
【００１７】
請求項３の発明によれば、支持部材が、左右の支持部材の間にも設けられていることから、棚が横に長く転落防止バーが長くなってしまう場合でも、転落防止バーを確実に保持でき、商品の転倒防止をより確実に行うことができる。
【００１８】
請求項４の発明によれば、支持部材に、薄板状で棚の後方まで伸びる長さの側板を挿嵌し固定するスリットを備えることから、商品の棚の側方への転落を防止するための側板を簡易に設けることができる。
【図面の簡単な説明】
【００２４】
【図１】本発明に係る商品棚の商品の転落防止装置の第１の実施例を示す斜視図である。
【図２】同転落防止装置の他の方向から見た斜視図である。
【図３】同転落防止装置の正面図である。
【図４】同転落防止装置の上面図である。
【図５】同転落防止装置の使い方を示す説明図である。
【図６】同転落防止装置の使い方を示す説明図である。
【図７】同転落防止装置の他の棚への適用例を示す斜視図である。
【図８】本発明に係る商品棚の商品の転落防止装置の第２の実施例を示す斜視図である。
【図９】本発明に係る商品棚の商品の転落防止装置の第３の実施例を示す斜視図である。
【図１０】本発明に係る商品棚の商品の転落防止装置の第４の実施例を示す斜視図である。
【図１１】同転落防止装置の支持部材を示す側面図である。
【図１２】同転落防止装置を示す上面図である。
【図１３】同転落防止装置の使い方を示す説明図である。
【図１４】同転落防止装置の使い方を示す説明図である。
【図１５】同転落防止装置の他の態様を示す斜視図である。
【図１６】本発明に係る商品棚の商品の転落防止装置の第５の実施例を示す斜視図である。
【発明を実施するための形態】
【００２５】
本発明の形態における商品棚の商品の転落防止装置は、棚に並べられた瓶や缶等の商品が、振動や接触等で転落しないようにするためのものである。以下、本発明の形態について図面を参照しながら具体的に説明する。
【実施例１】
【００２６】
図１は、本発明に係る商品棚の商品の転落防止装置の第１の実施例を示す斜視図である。図２は、同転落防止装置の他の方向から見た斜視図である。図３は、同転落防止装置の正面図である。図４は、同転落防止装置の上面図である。図５は、同転落防止装置の使い方を示す説明図である。図６は、同転落防止装置の使い方を示す説明図である。図７は、同転落防止装置の他の棚への適用例を示す斜視図である。
【００２７】
図１〜図７において、商品棚の商品の転落防止装置１は、背板１０の両脇から正面方向に突出して瓶６ａや缶７ａ等の商品を載置するように設けられた棚１４ａと、棚１４ａの両脇に設けられた側板１２とから構成される商品棚に取り付けられている。転落防止装置１は、一対の支持部材２０，３０、転落防止バー１６，１８等から構成されている。支持部材２０，３０は、金属製の板材を上面視略コ字状に折曲させたもので、上下に伸びる略長方形状の支持板２２，３２と、支持板２２，３２の下端から突出する取付鍔２６，３６等からなる。支持部材２０，３０は、一対の側板１２のそれぞれの内側に対向するように起立し、取付鍔２６，３６が棚１４ａに固定されている。また、支持部材２０，３０は、支持板２２，３２に穿設された取付穴２４ｅ，３４ｅに挿嵌されたネジにより、側板１２に固定されている。尚、支持部材２０と支持部材３０とは、左右対称の形状である。尚、商品とは、瓶６ａや缶７ａの他、ペットボトルやシャンプーボトルのような容器や、箱状の物など棚に載置可能なものであればよい。
【００２８】
支持板２２，３２には、略逆Ｊ字状で上部端部２４ｃ，３４ｃが棚１４ａの後方側に位置するように穿設されたガイド溝２４，３４を備えている。ガイド溝２４，３４の巾は、転落防止バー１６，１８が差し込まれた状態で遊動可能なものである。ガイド溝２４，３４は、正面側の下方の下部端部２４ａ，３４ａから始まり、上方に上下中間部２４ｄ，３４ｄが伸び、上部が後方側に略逆Ｕ字状に湾曲して湾曲部２４ｂ，３４ｂとなり、湾曲した下端が上部端部２４ｃ，３４ｃとなっている。上部端部２４ｃ，３４ｃは、転落防止バー１６，１８を係止可能に前方方向にわずかに湾曲している。尚、上下中間部２４ｄ，３４ｄの長さ、すなわち湾曲部２４ｂ，３４ｂの高さは、瓶６ａや缶７ａ等の商品の種類や高さにより適宜定められるもので、湾曲部２４ｂ，３４ｂの高さは、瓶６ａや缶７ａ等の商品の高さとほぼ同等となるのが好ましい。
【００２９】
左右一対の支持部材２０，３０の支持板２２，３２に穿設されたガイド溝２４，３４には、丸棒状の転落防止バー１６，１８が並行に少なくとも２本、架け渡されている。転落防止バー１６，１８は、ガイド溝２４，３４に沿って自由に移動可能である。
【００３０】
このように構成された商品の転落防止装置１の使用方法を説明する。まず、図５に示すように、２本の転落防止バー１６，１８を、ガイド溝２４，３４の下部端部２４ａ，３４ａにそろって移動させる。そして、側板１２の間が広く開放された状態で、棚１４ａの上に瓶６ａや缶７ａ等の商品を載置する。商品を載せ終わったら、上側の転落防止バー１８を、ガイド溝２４，３４の上下中間部２４ｄ，３４ｄに沿って上昇させ、図１〜図４に示すように、上部端部２４ｃ，３４ｃに係止させる。これにより、転落防止バー１６が瓶６ａや缶７ａの胴体部分に位置し、転落防止バー１８が瓶６ａや缶７ａの上部に近い位置に位置することになり、商品の転倒防止が図られる。
【００３１】
尚、瓶６ａや缶７ａ等の商品を取るときは、転落防止バー１８を邪魔にならない位置にガイド溝２４，３４上で適宜移動させるようにする。尚、棚１４ａが高所にあるような場合には、上側に位置する転落防止バー１８を動かすのではなく、図６に示すように、下側に位置する転落防止バー１６を動かすようにしてもよい。
【００３２】
以上のように、本実施例の瓶６ａや缶７ａ等の商品の転落防止装置１によれば、転落防止バー１６，１８が、左右の支持部材２０，３０のガイド溝２４，３４に遊嵌され、ガイド溝２４，３４に沿って移動自在に架け渡され、瓶６ａや缶７ａ等の商品の出し入れのときに転落防止バー１６，１８を上下に移動させればよく、棚１４ａ以外の場所にはみ出さず、棚１４ａ周辺の空間を有効活用できる。
【００３３】
また、支持部材２０，３０のガイド溝２４，３４が、略逆Ｊ字状で上部端部２４ｃ，３４ｃが棚１４ａの後方側に位置するよう湾曲して湾曲部２４ｂ，３４ｂとして穿設され、湾曲部２４ｂ，３４ｂが保持手段になっていることから、転落防止バー１８を湾曲部に移動させるだけで係止でき、転落防止バー１８の操作が容易である。
【００３４】
さらに、ガイド溝２４，３４の湾曲部２４ｂ，３４ｂが後方側に湾曲しているため、商品が瓶６ａの場合には、転落防止バー１８を瓶６ａのネック部分に近い位置に配置可能で、瓶６ａの転倒防止を図ることも可能である。
【００３５】
さらに、ガイド溝２４，３４の上部端部２４ｃ，３４ｃの先端が、転落防止バー１８を係止可能に棚１４ａの前方方向に折り返されていることから、転落防止バー１８がガイド溝２４，３４に遊嵌されているものの、転落防止バー１８が上部端部２４ｃ，３４ｃにあるときは棚１４ａが揺れたりしても移動しにくく、商品の転落防止をより確実に行うことができる。
【００３６】
尚、図１〜図６における商品棚の棚１４ａは、奥行きが短いものであるが、商品棚の奥行きにより限定されるものではなく、図７に示すように、棚１４ｂが奥行きが長い場合にも、本実施例の発明を適用することができる。尚、以下の実施例においても、棚の奥行きにより限定されるものではない。
【実施例２】
【００３７】
実施例１では、棚１４ａの横幅が比較的短い例で説明しているが、図８の本発明に係る商品棚の商品の転落防止装置の第２の実施例を示す斜視図で示すような、棚１４ｃの横幅が広い場合もある。棚１４ｃの横幅が広く、両脇の支持部材２０，３０で転落防止バー１６，１８を支持しただけでは、転落防止バー１６，１８が垂れ下がって不安定になるような場合には、図８に示すように、支持部材２０，３０の間に、少なくとも１つの支持部材４０を起立させるようにすればよい。支持部材４０は、支持部材２０又は支持部材３０と同様な形状で、転落防止バー１６，１８が、ガイド溝４４を貫通している。尚、支持部材４０の数は、棚の長さ等により適宜定めればよい。
【００３８】
このように、支持部材４０を、左右の支持部材２０，３０の間にも設けることで、棚が横に長く転落防止バー１６，１８が長くなってしまう場合でも、転落防止バー１６，１８を確実に保持でき、商品の転落防止をより確実に行うことができる。
【実施例３】
【００３９】
また、実施例１及び実施例２の支持部材２０，３０，４０のガイド溝２４，３４，４４は、湾曲部２４ｂ，３４ｂ，４４ｂが、上方に１つしか穿設されていないが、１つに限られるものではなく、図９に示す支持部材５０，６０のように、複数設けるようにしてもよい。図９の発明に係る商品棚の商品の転落防止装置の第３の実施例を示す斜視図の例では、ガイド溝５４は、正面側の下方の下部端部５４ａから始まり、上方に上下中間部５４ｄが伸び、上部が後方側に略逆Ｕ字状に湾曲して湾曲部５４ｂとなり、湾曲した下端が上部端部５４ｃとなるのは上述の支持部材２０，３０，４０と同様である。但し、上下中間部５４ｄの途中に、上部の湾曲部５４ｂと同様の中間湾曲部５４ｆが、少なくとももう１つ穿設されている。
【００４０】
この湾曲部５４ｆは、湾曲部５４ｂと同様に、後方側に略逆Ｕ字状に湾曲して湾曲した下端が中間端部５４ｇとなっている。中間端部５４ｇは、転落防止バー１６，１８を係止可能に前方方向にわずかに湾曲している。尚、中間湾曲部５４ｆは、１つに限られず、適宜増やすようにしてもよい。
【００４１】
このように、支持部材５０のガイド溝５４の中間湾曲部５４ｆが、ガイド溝５４の上下中間部５４ｄにも少なくとも１つ穿設されていることで、高さの異なる瓶６ｂや缶７ｂ等の商品の転落防止が可能となる。
【実施例４】
【００４２】
実施例１〜実施例３に示す支持部材のガイド溝は、湾曲部を有しているが、転落防止バー１６，１８の保持手段としては、湾曲部に限られるものではない。例えば、図１０の本発明に係る商品棚の商品の転落防止装置の第４の実施例を示す斜視図に示される形態がある。図１１は、同転落防止装置の支持部材を示す側面図である。図１２は、同転落防止装置を示す上面図である。図１３は、同転落防止装置の使い方を示す説明図である。図１４は、同転落防止装置の使い方を示す説明図である。図１５は、同転落防止装置の他の態様を示す斜視図である。
【００４３】
図１０〜図１５において、商品棚の商品の転落防止装置４は、瓶６ａや缶７ａ等の商品を載置するように設けられた棚１４ｄに取り付けられている。転落防止装置４は、一対の支持部材６０，７０、支持部材６０と支持部材７０との間に支持部材６０，７０と対向す支持部材８０、転落防止バー１６，１８等から構成されている。支持部材６０，７０，８０は、金属製の板材を上面視略コ字状に折曲させたもので、上下に伸びる略長方形状の支持板６２，７２，８２と、支持板６２，７２，８２の下端から突出する取付鍔６６，７６，８６等からなる。支持部材６０，７０，８０は、対向するように起立し、取付鍔６６，７６，８６で棚１４ｄに固定されている。尚、支持部材６０と支持部材７０とは、左右対称の形状であり、支持部材６０と支持部材８０とは同一の構造である。
【００４４】
支持板６２，７２，８２には、上下に伸びるガイド溝６４，７４，８４が穿設されている。ガイド溝６４，７４，８４の巾は、転落防止バー１６，１８が差し込まれた状態で遊動可能なものである。ガイド溝６４，７４，８４は、下方の下部端部６４ａ，７４ａ，８４ａから始まり、上方に上下中間部６４ｄ，７４ｄ，８４ｄが伸び、上方がが上部端部６４ｃ，７４ｃ，８４ｃとなっている。上部端部６４ｃ、７４ｃ，８４ｃの転落防止バー１８の１本分程度下に下がった位置の棚１４ｄの前方方向には、転落防止バー１８を係止する切り込み６４ｅ，７４ｅ，８４ｅが設けられている。
【００４５】
支持部材６０，７０，８０に穿設されたガイド溝６４，７４には、丸棒状の転落防止バー１６，１８が並行に少なくとも２本、架け渡されている。また、転落防止バー１６，１８は、支持部材８０のガイド溝８４を貫通している。そして、転落防止バー１６，１８は、ガイド溝６４，７４，８４に沿って自由に移動可能である。
【００４６】
また、支持部材６０，７０，８０のガイド溝６４，７４，８４の内側の転落防止バー１６と転落防止バー１８との間には、上下に伸びて弾性部材であるスプリング６８，７８，８８が遊嵌され、転落防止バー１６と転落防止バー１８とを引き離す方向に付勢してる。尚、スプリング６８，７８，８８の下端と転落防止バー１６との間、上端と転落防止バー１８との間には、円盤状の駒６８ａ，６８ｂがそれぞれ設けられている。このスプリング６８，７８，８８により、転落防止バー１６は、ガイド溝６４，７４，８４の下部端部６４ａ，７４ａ，８４ａに押しつけられ、転落防止バー１８は、ガイド溝６４，７４，８４の上部端部６４ｃ，７４ｃ，８４ｃに押しつけられた状態で保持されることになる。
【００４７】
このように構成された商品の転落防止装置４の使用方法を説明する。まず、図１３（ｂ）、図１４（ｂ）に示すように、転落防止バー１８を下方向に押して、ガイド溝６４，７４，８４の下部端部６４ａ，７４ａ，８４ａ方向の上下中間部６４ｄ，７４ｄ，８４ｄに移動させる。そして、棚１４ｄの前方上方が開放された状態で、棚１４ｄの上に瓶６ａや缶７ａ等の商品を載置する。商品を載せ終わったら、転落防止バー１８から手を離せば、転落防止バー１８は、ガイド溝６４，７４，８４の上下中間部６４ｄ，７４ｄ，８４ｄに沿って上昇し、図１０や図１１に示すように、上部端部６４ｃ，７４ｃ，８４ｃに係止させる。これにより、転落防止バー１６が瓶６ａや缶７ａの胴体部分に位置し、転落防止バー１８が瓶６ａや缶７ａの上部に近い位置に位置することになり、商品の転倒防止が図られる。
【００４８】
尚、瓶６ａや缶７ａ等の商品を取るときは、転落防止バー１８を押して邪魔にならない位置にガイド溝６４，７４，８４上で適宜移動させるようにする。尚、棚１４ｄが高所にあるような場合には、上側に位置する転落防止バー１８を動かすのではなく、図１３（ｃ）、図１４（ｃ）に示すように、下側に位置する転落防止バー１６を上方に動かすようにしてもよい。
【００４９】
以上のように、本実施例の瓶６ａや缶７ａ等の商品の転落防止装置４によれば、転落防止バー１６，１８が、支持部材６０，７０，８０のガイド溝６４，７４，８４に遊嵌され、ガイド溝６４，７４，８４に沿って移動自在に架け渡され、瓶６ａや缶７ａ等の商品の出し入れのときに転落防止バー１６，１８を上下に移動させればよく、棚１４ｄ以外の場所にはみ出さず、棚１４ｄ周辺の空間を有効活用できる。
【００５０】
また、２本の転落防止バー１６，１８の間に、２本の転落防止バー１６，１８を引き離す方向に付勢する弾性部材であるスプリング６８，７８，８８を備え、プリング６８，７８，８８が保持手段になっていることから、転落防止バー１６，１８に横から商品が当たっても転落防止バー１６，１８は簡単に移動しないものの、上又は下から手で押すと転落防止バー１６，１８が移動し、操作が容易である。
【００５１】
さらに、上下に伸びるガイド溝６４，７４，８４の途中の棚１４ｄの前方方向に、転落防止バー１８を係止する切り込み６４ｅ，７４ｅ，８４ｅが穿設されていることから、商品が転落防止バーに倒れかかる方向で触れた場合でも、転落防止バー１８が棚１４ｄの前方方向に付勢された状態で下がるために、転落防止バー１８が切り込みに係止され（図１３（ａ）、図１４（ａ）参照）、不必要に転落防止バー１８が下がってしまわず、商品の転落を防止することができる。
【００５２】
尚、本実施例は、実施例２の場合のように、棚１４ｄの横幅が長い場合で、支持部材６０と支持部材７０との間に支持部材８０を設けた場合で説明しているが、このように支持部材を途中に設ける場合に限られるものではなく、棚１４ｄの横幅が短い場合には、支持部材６０と支持部材７０のみの構成であってもよい。
【００５３】
また、図１５に示すように、支持部材６０，７０に、薄板状で棚の後方まで伸びる長さの側板９０，９２を挿嵌し固定するスリット６２ａ，７２ａを備えるようにすると、商品の棚１４ｄの側方への転落を防止するための側板９０，９２を簡易に設けることができるようになる。ここで、側板９０，９２の形状は、スリット６２ａ，７２ａに挿嵌できて、商品の転落を防止できる形状であれば、特に形状により制限されるものではない。また、実施例１〜実施例３の支持部材２０，３０にも、本実施例の支持部材６０，７０と同様なスリット６２ａ，７２ａを設けることは可能である。
【実施例５】
【００５４】
また、実施例１〜実施例４に示す支持部材のガイド溝は、棚の左右方向に対向して設けられていたが、これに加え、図１６の本発明に係る商品棚の商品の転落防止装置の第５の実施例を示す斜視図に示すように、棚１４ｄの後ろ方向に向けて設けることも可能である。本実施例の転落防止装置５の支持部材１００は、実施例４の支持部材６０，７０と同様に、互いに向き合う側にガイド溝１０４を有し、互いに向き合う支持部材１００同士の間に転落防止バー１６，１８が掛け渡されている。そして、支持部材１００のガイド溝１０４部分には、実施例４の支持部材６０，７０と同様に、スプリング１０８が設けられている。
【００５５】
支持部材１００の実施例４の支持部材６０，７０との違いは、棚１４ｄの後方に向かってもガイド溝１０４及び弾性部材であるスプリング１０８が設けられ、転落防止バー１７，１９が棚１４ｄの後方に設けられた支持部材１１０，１２０のガイド溝１１４，１２４にも架け渡されていることである。支持部材１１０，１２０のガイド溝１１４，１２４には、同様にスプリング１１８，１２８が設けられている。そして、転落防止バー１７，１９の動作は、転落防止バー１６，１８と同様である。
【００５６】
このような構造の転落防止装置５によれば、商品が棚の側方からの転落を防止すると共に、棚１４ｄの正面の転落防止バー１６，１８で奏する効果と同様な効果を有している。
【産業上の利用可能性】
【００５７】
本発明により、商品の出し入れのときに転落防止バーを上下に移動させればよく、棚以外の場所にはみ出さず、棚周辺の空間を有効活用できる商品棚の商品の転落防止装置を提供することができる。
【符号の説明】
【００５８】
１・・・・・・転落防止装置
２・・・・・・転落防止装置
３・・・・・・転落防止装置
４・・・・・・転落防止装置
５・・・・・・転落防止装置
６ａ・・・・・瓶
６ｂ・・・・・瓶
７ａ・・・・・缶
７ｂ・・・・・缶
１０・・・・・背板
１２・・・・・側板
１４ａ・・・・棚
１４ｂ・・・・棚
１４ｃ・・・・棚
１４ｄ・・・・棚
１６・・・・・転落防止バー
１７・・・・・転落防止バー
１８・・・・・転落防止バー
１９・・・・・転落防止バー
２０・・・・・支持部材
２２・・・・・支持板
２４・・・・・ガイド溝
２４ａ・・・・下部端部
２４ｂ・・・・湾曲部
２４ｃ・・・・上部端部
２４ｄ・・・・上下中間部
２４ｅ・・・・取付穴
２６・・・・・取付鍔
３０・・・・・支持部材
３２・・・・・支持板
３４・・・・・ガイド溝
３４ａ・・・・下部端部
３４ｂ・・・・湾曲部
３４ｃ・・・・上部端部
３４ｄ・・・・上下中間部
３４ｅ・・・・取付穴
３６・・・・・取付鍔
４０・・・・・支持部材
４２・・・・・支持板
４４・・・・・ガイド溝
４４ａ・・・・下部端部
４４ｂ・・・・湾曲部
４４ｃ・・・・上部端部
４４ｄ・・・・上下中間部
４６・・・・・取付鍔
５０・・・・・支持部材
５２・・・・・支持板
５４・・・・・ガイド溝
５４ａ・・・・下部端部
５４ｂ・・・・湾曲部
５４ｃ・・・・上部端部
５４ｄ・・・・上下中間部
５４ｅ・・・・取付穴
５４ｆ・・・・中間湾曲部
５４ｇ・・・・中間端部
５６・・・・・取付鍔
６０・・・・・支持部材
６２・・・・・支持板
６２ａ・・・・スリット
６４・・・・・ガイド溝
６４ａ・・・・下部端部
６４ｃ・・・・上部端部
６４ｄ・・・・上下中間部
６４ｅ・・・・切り込み
６６・・・・・取付鍔
６８・・・・・スプリング
６８ａ・・・・駒
６８ｂ・・・・駒
７０・・・・・支持部材
７２・・・・・支持板
７２ａ・・・・スリット
７６・・・・・取付鍔
７８ｂ・・・・駒
８０・・・・・支持部材
８２・・・・・支持板
８４・・・・・ガイド溝
８４ａ・・・・下部端部
８４ｃ・・・・上部端部
８４ｄ・・・・上下中間部
８４ｅ・・・・切り込み
８６・・・・・取付鍔
８８・・・・・スプリング
８８ｂ・・・・駒
９０・・・・・側板
９２・・・・・側板
１００・・・・支持部材
１０４・・・・ガイド溝
１０４ａ・・・下部端部
１０４ｃ・・・上部端部
１０４ｄ・・・上下中間部
１０４ｅ・・・切り込み
１０８・・・・スプリング
１１０・・・・支持部材
１１４・・・・ガイド溝
１１８・・・・スプリング
１２０・・・・支持部材
１２４・・・・ガイド溝
１２４ａ・・・下部端部
１２４ｃ・・・上部端部
１２４ｄ・・・上下中間部
１２４ｅ・・・切り込み
１２８・・・・スプリング
【図１】
0005569957.tif 000002
【図２】
0005569957.tif 000003
【図３】
0005569957.tif 000004
【図４】
0005569957.tif 000005
【図５】
0005569957.tif 000006
【図６】
0005569957.tif 000007
【図７】
0005569957.tif 000008
【図８】
0005569957.tif 000009
【図９】
0005569957.tif 000010
【図１０】
0005569957.tif 000011
【図１１】
0005569957.tif 000012
【図１２】
0005569957.tif 000013
【図１３】
0005569957.tif 000014
【図１４】
0005569957.tif 000015
【図１５】
0005569957.tif 000016
【図１６】
0005569957.tif 000017